(57)【要約】【課題】競技においてフライングを検出した場合に、全選手に対してフライングを通告して競技を中止させる従来の競技ルールのみならず、フライングした選手にのみフライングを通告しそれ以外の選手は中断することなく競走を継続するという新たな競技ルールにも対応することができる競走用スタート装置の提供を目的とする。【解決手段】各競技レーン１のスタート位置に設けられ選手のスタートを検出するスタート検出手段を備えたスターティング・ブロック２と、このスターティング・ブロックからの選手スタート信号と、競技ピストル４のスタート合図信号との時間差から不正スタートを検出するフライング検出手段５と、各競技レーンに配設されフライング検出手段がフライングを検出した場合にその信号に基づいてフライングした選手にフライングであることを知らせる通告手段３とから競走用スタート装置を構成する。【選択図】図１
2005087307.tif 000002
【特許請求の範囲】
【請求項１】
競技レーンのスタート位置に設けられ選手のスタートを検出するスタート検出手段と、該スタート検出手段からの選手スタート信号と競技のスタート合図信号とを受けた時刻差から不正スタートを検出するフライング検出手段と、前記各競技レーンに配設され前記フライング検出手段がフライングを検出した場合にその信号に基づいてフライングした選手にフライングであることを知らせる通告手段とからなることを特徴とする競走用スタート装置。
【請求項２】
フライング検出手段がフライングを検出した場合に、これに基づく信号はフライングした選手の競技レーンの通告手段のみならず他の競技レーンの通告手段も駆動して全選手にフライングを通告することを特徴とする請求項１記載の競走用スタート装置。
【請求項３】
フライング検出手段がフライングを検出した場合に、これに基づく信号によりフライングした選手の競技レーンの通告手段のみを駆動させる設定と、全競技レーン若しくは選手が存在する競技レーンの通告手段を駆動させる設定とを切り換え可能とすることを特徴とする請求項１又は２記載の競走用スタート装置。
【請求項４】
通告手段は、競技レーンに配設され選手が視認自在な発光器としたことを特徴とする請求項１、２又は３記載の競走用スタート装置。
【発明の詳細な説明】
【技術分野】
【０００１】
本発明は、複数の選手が競走する際に不正スタート（フライング）を検出する競走用スタート装置に係り、特にフライングに関するこれまでの競技ルールのみならず、将来フライングに関して競技ルールが変更になった場合にも対応することができる競走用スタート装置に関するものである。
【背景技術】
【０００２】
陸上競技の短距離走等にあっては、電気計時により１／１００秒を競う競技が行われており、特に短距離走にあっては、スタートを好適に行うことがよい記録を出す必須の条件ともなっている。そのため、選手は号砲の鳴動等のスタート合図を聞いてからスタートすべきところ、「用意」の合図からスタートの合図が鳴らされるまでのタイミングを見計らってスタートすることが往々にして行われており、そのためフライングが頻繁に発生している。そして、このフライングを判定するに際しては、スターティング・ブロックやスタート時に選手が手を置く位置確定ボードにセンサーを備えて圧力や位置の変化を検出して自動的にフライングを検出するフライング検出手段が案出されている。
【特許文献１】特開２００１−２０４８７２公報
【発明の開示】
【発明が解決しようとする課題】
【０００３】
一方、このフライングに関する競技ルールは、普遍的なものではなく時により変更されており、例えば２００３年のパリ世界陸上競技大会では、競技時間の短縮を図るべく、フライングが２回連続した場合、１回目のフライングが誰であろうと２回目のスタートでフライングをした選手が失格となるというルールとするものであった。このルールは、一見して競技時間の短縮として妥当性があるようだが、実は１回目のフライングがマイナス点にならないことから、選手がスタートタイミングを見計らったフライングぎりぎりのスタートを行ったり、駆け引き的に意図的にフライングしたりすることが多く見られ、競技時間の短縮にはさほど効果がなく、これらのことは観客にも不公平感が残り、また好タイミングでスタートした選手にとっては肉体的・精神的に大きなダメージとなるものであった。
【０００４】
そこで将来、競技ルールが変更されて、例えば競技予選において、スタートの合図で選手がスタートした際に、フライングした選手にのみフライングしたことを通告して競走を中止させ、フライングした選手を除いた選手は中断することなく競走を継続するという、競技時間の更なる短縮を図る新たな競技ルールが適用される可能性もある（例えば、フライングした選手は別途まとめられて、敗者復活戦のごとく再度競技を行う）。しかしながら、上述した従来のフライング検出手段にあっては、一旦フライングを検出すると大音量の音を鳴らす等で全選手が競技を中断させるしかないことから、新たな競技ルールには対応することができなかった。
【０００５】
そこで本発明にあっては、上述した課題を解決すべく、競技においてフライングを検出した場合に、全選手に対してフライング通告を行って競技を中止させる従来の競技ルールのみならず、フライングした選手にのみフライング通告を行いそれ以外の選手は中断することなく競走を継続するという新たな競技ルールにも対応することができる競走用スタート装置の提供を目的とする。
【課題を解決するための手段】
【０００６】
上記目的を達成するため、本発明の競走用スタート装置は、競技レーンのスタート位置に設けられ選手のスタートを検出するスタート検出手段と、該スタート検出手段からの選手スタート信号と競技のスタート合図信号とを受けた時刻差から不正スタートを検出するフライング検出手段と、前記各競技レーンに配設され前記フライング検出手段がフライングを検出した場合にその信号に基づいてフライングした選手にフライングであることを知らせる通告手段とからなることを特徴とする。
【０００７】
また、フライング検出手段がフライングを検出した場合に、これに基づく信号はフライングした選手の競技レーンの通告手段のみならず他の競技レーンの通告手段も駆動して全選手にフライングを通告することを特徴とする。
【０００８】
また、フライング検出手段がフライングを検出した場合に、これに基づく信号によりフライングした選手の競技レーンの通告手段のみを駆動させる設定と、全競技レーン若しくは選手が存在する競技レーンの通告手段を駆動させる設定とを切り換え可能とすることを特徴とする。
【０００９】
また、通告手段は、競技レーンに配設され選手が視認自在な発光器としたことを特徴とする。
【発明の効果】
【００１０】
本発明の競走用スタート装置によれば、競技レーンのスタート位置に設けられ選手のスタートを検出するスタート検出手段と、該スタート検出手段からの選手スタート信号と競技のスタート合図信号とを受けた時刻差から不正スタートを検出するフライング検出手段と、前記各競技レーンに配設され前記フライング検出手段がフライングを検出した場合にその信号に基づいてフライングした選手にフライングであることを知らせる通告手段とから構成することで、フライング検出手段がフライングを検出した場合に、フライングした選手の競技レーンの通告手段にのみフライング通告をしてフライングした選手に競走を中止させ、それ以外の選手には競走を継続させるという不公平感のない新たな競技ルールに対応することができるとともに、競技時間の短縮にも大いに貢献することができる。
【００１１】
また、フライング検出手段がフライングを検出した場合に、これに基づく信号はフライングした選手の競技レーンの通告手段のみならず他の競技レーンの通告手段も駆動して全選手にフライングを通告することで、従来の競技ルールに対応した競走用スタート装置とすることができる。
【００１２】
また、フライング検出手段がフライングを検出した場合に、これに基づく信号によりフライングした選手の競技レーンの通告手段のみを駆動させる設定と、全競技レーン若しくは選手が存在する競技レーンの通告手段を駆動させる設定とを切り換え可能とすることで、フライングがあると競技を中止する従来の競技ルールのみならず、フライングがあってもフライングした選手を除いて競技を続けるという新しい競技ルールにも、本発明の競走用スタート装置を用いることができる。
【００１３】
また、通告手段は競技レーンに配設され選手が視認自在な発光器としたことで、フライングを通告する手段として従来の音ではなく光を用いることにより、各競技レーンの選手ごとに選択的にフライング通告を行うことができ、誤認させる恐れのない好適な競走用スタート装置とすることができる。
【発明を実施するための最良の形態】
【００１４】
図１及び図２は、本発明の競走用スタート装置を示しており、複数の競技レーン１1，１2，１3・・・１6におけるスタート位置には、選手のスタートを検出するスタート検出手段を備えるスターティング・ブロック２1，２2，２3・・・２6が配置され、その各競技レーン１のスタート位置から数ｍ〜十数ｍの位置には適宜な発光器からなる通告手段３1，３2，３3・・・３6が競技に支障がないように埋設されている。４は、スターターがスタートの合図を発する競技ピストルであり、競技ピストル４のトリガー信号は電気信号としてフライング検出手段５に送られる。
【００１５】
前記スターティング・ブロック２1，２2，２3・・・２6は、選手がスタートしたときの圧力変化や位置変化等を内蔵するスタート検出手段が検出して選手スタート信号としてフライング検出手段５に電気信号を出力するものである。尚、本実施例にあっては、スタート検出手段をスターティング・ブロック２に配設したが、これに限定されることなく、スタート時に選手が手をつく位置確定ボードやその他の個所に設けてもよく、特に限定されないものである。
【００１６】
フライング検出手段５は、スターティング・ブロック２1，２2，２3・・・２6からの選手スタート信号を入力すると、競技レーン１ごとに選手スタート信号を受けた時刻を記録するとともに、競技スタートの合図と同期する競技ピストル４のトリガー信号を入力してその時刻を記録し、このトリガー信号の時刻からの時間遅れが所定時間未満の選手スタート信号を不正スタートと判定して取り出す。そして、不正スタートと判定した競技レーン１の通告手段３に対しフライング通告を行うべく信号を送出する。
【００１７】
通告手段３は、競技に支障のない状態で競技レーン１上面に設置された発光器からなり、スタート直後の選手がその発光器からの光を確実に視認してフライングの通告として認識できるものとする。特に好ましくは、発光器からの光が選手に向かうように配設され、フライング検出手段５からフライング通告を行うべく信号が送出されると、隣接する他の選手にその通告が誤認されないように発光角、発光範囲を狭く設定された通告手段３が、スタート直後の選手の顔面に向けて例えば赤色光を発光し、これにより不正スタートしたことを通告し中止させることが望ましい。また、通告手段３が行う通告としては、選手ごとに個別に通告することができる手段であれば上述した光に限定されないものである。
【００１８】
また、本実施例の競走用スタート装置の他の使用方法としては、従来の競技ルールに則って、フライングがあった場合に選手全員に対して通告手段３がフライング通告を行って競技を中止させるという方法にも容易に対応することができる。すなわち、フライング検出手段５に切り換えスイッチ等を設けて、フライングを検出した場合に、フライング検出手段５が、フライングした選手の競技レーン１の通告手段３にのみ信号を送出するか、または全競技レーン若しくは選手が存在する競技レーンの通告手段３1，３2，３3・・・３6に信号を送出するかの設定を行えるようにするだけでよいものである。
【００１９】
このような構成からなる競走用スタート装置によれば、予選における競技時間の短縮を企図して新たな競技ルールを設定することができる。すなわち、予選においてフライングがあった場合にフライングした選手を除いて競走を継続させた上で所定順位内の上位者が２次予選や決勝に進出できることとし、フライングした選手は別途に集められて敗者復活戦として再度競技を行い（所定回数のフライングで失格となり、２次予選や決勝への進出はタイムによる）、決勝競技では従来通りスタートは選手全員が揃うまで行われ、各選手は２回フライングすると失格するという方法を採れば、不公平感がなく、かつ選手に対して肉体的・精神的に大きな負担をかけさせなくて済む好適な競技を可能とするものである。
【００２０】
尚、本実施例にあっては、陸上競技の短距離走を例にとり説明したが、これに限定されることなく、水泳競技等にも適用することができるものである。
【図面の簡単な説明】
【００２１】
【図１】本発明の競走用スタート装置を示す説明図である。
【符号の説明】
【００２２】
１  競技レーン
２  スターティング・ブロック
３  通告手段
４  競技ピストル
５  フライング検出手段
【図１】
2005087307.tif 000003